Podtech/llm-jp-corpus-v4-ja_patent huggingface dataset:
(57)【要約】【課題】本発明の目的は、発泡ＰＥＴ材のように融点の低い材料に、ドリルを用いて穴品質の良い穴明け加工をするための条件を提供することにある。【解決手段】融点が３００℃以下の材料に、径が０．２ｍｍ〜０．４ｍｍφのドリルを用いるドリル穴明け加工において、ドリルの先端角を１３０〜１４０°、ネジレ角を４０°以上、芯厚を０．０４〜０．０６ｍｍ、溝幅比を３、ウエブテーパを１．５以下とし、先端ブッシュの内径を１．２ｍｍφ以下とし、上板を潤滑剤塗布のアルミニウム板とし、切削速度を３．５ｍ／ｍｉｎ以上とするとよい。【選択図】図２
2015030069.tif 000002
【特許請求の範囲】
【請求項１】
融点が３００℃以下の材料に、径が０．２ｍｍ〜０．４ｍｍφのドリルを用いるドリル穴明け加工において、
ドリルの先端角を１３０〜１４０°、ネジレ角を４０°以上、芯厚を０．０４〜０．０６ｍｍ、溝幅比を３、ウエブテーパを１．５以下とし、
先端ブッシュの内径を１．２ｍｍφ以下とし、
上板を潤滑剤塗布のアルミニウム板とし、
切削速度を３．５ｍ／ｍｉｎ以上とする
ことを特徴とするドリル穴明け加工方法。
【発明の詳細な説明】
【技術分野】
【０００１】
本発明は、発泡ＰＥＴ材などの融点の低い材料にドリルで穴明け加工する方法に係るものである。
【背景技術】
【０００２】
近年、大型液晶ＴＶ用バックライトや照明器具、看板などの光反射板として、発泡ＰＥＴ（ポリエチレンテレフタレート）材が注目されている。従って、このような材料への穴明け加工のニーズが増えてきている。しかしながら、発泡ＰＥＴ材は比較的融点が低いために（使用推奨温度１００℃以下）、レーザ加工では穴の周りが溶けてしまい、パンチ加工では型の雄と雌で打ち抜く時に穴の周りにクラックが発生してしまうという問題があった。また従来のドリル穴明け加工（例えば、特許文献１）では、通常生産性を上げるために複数枚を重ねて加工するが、穴の周りが溶けたり、穴の周りにバリが発生したり、重ねた上部と下部で穴径の変化が大きかったりして、穴の品質の悪いものとなっていた。
【先行技術文献】
【特許文献】
【０００３】
【特許文献１】特開２０１０−０８２７０６号公報
【発明の概要】
【発明が解決しようとする課題】
【０００４】
本発明の目的は、発泡ＰＥＴ材のように融点の低い材料に、ドリルを用いて穴品質の良い穴明け加工をするための条件を提供することにある。
【課題を解決するための手段】
【０００５】
融点が３００℃以下の材料に、径が０．２ｍｍ〜０．４ｍｍφのドリルを用いるドリル穴明け加工において、本発明の目的を達成するためには、ドリルの先端角を１３０〜１４０°、ネジレ角を４０°以上、芯厚を０．０４〜０．０６ｍｍ、溝幅比を３、ウエブテーパを１．５以下とし、先端ブッシュの内径を１．２ｍｍφ以下とし、上板を潤滑剤塗布のアルミニウム板とし、切削速度を３．５ｍ／ｍｉｎ以上として加工するとよい。ここで、先端角が１３０〜１４０°、ネジレ角４０°以上、芯厚０．０４〜０．０６ｍｍ、溝幅比３、ウエブテーパ１．５以下のドリルは非常に剛性の低いものであり、このようなドリルを３．５ｍ／ｍｉｎ以上という高速な切削速度で使用することは常識的には考えられないものであったが、このような条件が有効であることを見出したものである。
【発明の効果】
【０００６】
発泡ＰＥＴ材のように融点の低い材料に、ドリルを用いて穴品質の良い穴明け加工をすることができる。
【図面の簡単な説明】
【０００７】
【図１】本発明の主要構成を示す部分断面図である。
【図２】本発明に係る加工条件による加工例と比較条件による比較例を示す図面代用写真である。
【発明を実施するための形態】
【０００８】
以下、本発明に係る加工方法の実施の形態について図を用いて説明する。図１は本発明の主要構成を示す部分断面図である。ドリル１を矢印ａの方向に回転させ、プレッシャフット２と共に下降させ、プレッシャフット２に接続された先端ブッシュ３によってワーク１０、上板１１、下板１２の積層体を押圧して、ドリル１をさらに下降させて積層体に穴明け加工を行う。
【実施例】
【０００９】
下表に本発明に係る加工条件と比較条件を示す。
【表１】
2015030069.tif 000003
ここで、用いたドリル径は０．３ｍｍφであり、Ｎｏ．１〜４が比較条件である。Ｎｏ．１は従来仕様のドリルを用いた場合、Ｎｏ．２は従来仕様の先端ブッシュを用いた場合、Ｎｏ．３は従来仕様の切削速度（ドリルの下降速度）を用いた場合、Ｎｏ．４は従来仕様のベークライト板（０．４ｍｍ厚）を上板として用いた場合である。また、ＬＥ４００とは、潤滑剤を塗布したアルミニウム板である。また、ドリルの材質は超硬度材であるＡＦ０（住友電気工業株式会社製）であるが、これと同等の硬度のものであれば、問題なく使用できる。ワーク１０は、古河電気工業株式会社製発泡ＰＥＴ材ＭＣＰＥＴ（０．５５ｍｍ厚）を６枚重ねしたものである。ここで、本発明条件（先端角が１３０°、ネジレ角４０°、芯厚０．０６ｍｍ、溝幅比３、ウエブテーパ１．５）のドリルは非常に剛性の低いものであり、このようなドリルを３．５ｍ／ｍｉｎという高速な切削速度で使用することは常識的には考えられないものであったが、このような条件で有効であることを見出したものである。
【００１０】
図２は、上記した本発明に係る加工条件による加工例と比較例を示す図面代用写真である。本発明条件で加工した場合品質上問題の無い穴が明いていることが分かるが、従来仕様のドリルを用いたＮｏ．１の場合は、穴の周囲が溶ける「溶け」が発生し、従来仕様の先端ブッシュを用いたＮｏ．２の場合は、「バリ」が発生した。また、従来仕様の切削速度を用いたＮｏ．３の場合も「溶け」が発生し、従来仕様のベークライト板（０．４ｍｍ厚）上板を用いたＮｏ．４の場合は「溶け」と「バリ」が発生した。
【００１１】
上記のような効果は、ドリル径０．２ｍｍ〜０．４ｍｍφにおいて、先端角が１３０〜１４０°、ネジレ角４０°以上、芯厚０．０４〜０．０６ｍｍ、溝幅比３、ウエブテーパ１．５以下のドリルを用い、先端ブッシュの内径を１．２ｍｍφ以下、上板を潤滑剤塗布のアルミニウム板として、切削速度を３．５ｍ／ｍｉｎ以上として加工することにより得られる。
【００１２】
本発明条件は発泡ＰＥＴ材の１枚の厚さが０．１〜１．０ｍｍに対して有効であるが、発泡ＰＥＴ材のみならず、融点が３００℃以下の一般のＰＥＴ（融点２５８℃）、ポリカーボネイト（融点２４０℃）、アクリル（融点１００℃）にも有効である。
【符号の説明】
【００１３】
１    ドリル
ａ    ドリル回転方向
２    プレッシャフット
３    先端ブッシュ
４    テーブル
１０  ワーク
１１  上板
１２  下板
【図１】
2015030069.tif 000004
【図２】
2015030069.tif 000005
(57)【要約】      （修正有）【課題】ドライバーを保持したままの状態で、ネジをピックアップすることを可能とし、ドライバーと掌との摩擦を取り除いてスムーズに回転させる。【解決手段】先端にオスネジ部５を備えたドライバー本体１の根元部の中心部に設けられる回転軸に回転可能に軸支される回転軸受け部を取り付け、前記回転軸受け部に落下防止用指挿入ホルダ−４設けられたドライバ−の前記ホルダ−４のリングの中に中指を挿入することにより、手を放した状態でも、中指がリングにホ−ルドされドライバーを落下させることなく保持できる。【選択図】図３
2015030090.tif 000002
【特許請求の範囲】
【請求項１】
先端にオスネジ部を設けたドライバー本体の根元部に設けられた回転軸に、回転可能に軸支される回転軸受け部を取り付け、前記回転軸受け部に落下防止用指挿入ホルダーを設けているドライバー。
【発明の詳細な説明】
【技術の分野】
【０００１】  本発明はドライバーの根元部に指挿入ホルダーを有する回転軸受け部を設けて、ドライバーを保持した状態で作業ができ、スムーズに回転するドライバーに関するものである。
【背景技術】
【０００２】  従来はドライバーで作業時にネジをピックアップするには、空いてる手を使用するか、一度ドライバーから手を放し、置いた状態でネジをピックアップするしかなかった。
【発明の概要】
【発明が解決しようとする課題】
【０００３】  従来はドライバーで作業時にネジをピックアップするには、空いてる手を使用するか、一度ドライバーから手を放し、置いた状態でネジをピックアップするしかなかった。また、ドライバーを回転させようとすると、ドライバー根元部と掌との摩擦でスムーズに回転しなかった。【０００４】  本発明はドライバーを保持したままの状態で、ネジをピックアップすることを可能とし、ドライバーと掌との摩擦を取り除いてスムーズに回転させることを目的とするものであり、この課題を解決するためになされたものである。
【課題を解決するための手段】
【０００５】  本発明は上述の課題を解決するために、先端にオスネジ部を設けたドライバー本体の根元部の中心部に設けられる回転軸に、回転可能に軸支される回転軸受け部を取り付け、前記回転軸受け部に落下防止用指挿入ホルダーを設けることを特徴とするものである。
【発明の効果】
【０００６】  本発明によれば、ドライバーを使用する手の指を落下防止用指挿入ホルダーに挿入することにより、前記ドライバーを指から放した状態でも、前記ドライバーが保持され、高所作業でも、落下を防止することができる。また、前記ドライバーを置くことなく、ピックアップ作業ができるので作業効率をアップすることができる。
【図面の簡単な説明】
【０００７】
【図１】本発明に係るドライバーを示す正面図である。
【図２】同じく平面図である。
【図３】同じく落下防止用指挿入ホルダーの装着状態を示す平面図である。
【発明を実施するための形態】
【実施例１】
【０００８】  本発明に係るドライバーは図１から図３に示すように、先端にオスネジ部５を備えたドライバー本体１の根元部の中心部に設けられる回転軸３に回転可能に軸支される回転軸受け部２を取り付け、前記回転軸受け部２に落下防止用指挿入ホルダ−４設けられたドライバ−の前記ホルダ−４のリングの中に中指を挿入することにより、手を放した状態でも、中指がリングにホ−ルドされドライバーを落下させることなく保持できる。【０００９】ホルダーの材質は柔らかく滑りにくいゴム・ビニールの材質で材料の限定はない。【００１０】  高所作業においても、前記ホルダ−４のリングの中に中指挿入した状態であれば、作業の度にドライバ−を工具用袋に収納することなく、ドライバ−が手元にある状態で落下を気にすることもなく、安心して作業ができる。【００１１】  挿入した中指により、落下防止用指挿入ホルダ−４を介して回転軸受け部２が固定され、回転軸３に軸支されたドライバ−がスム−ズに回転するため、掌との摩擦による熱さ、痛さが解消される。【００１２】  落下防止用指挿入ホルダー４のリングに中指を挿入することにより、手を放した状態でも中指がリングにホ−ルドされドライバーが落下せず保持されたままの状態で、前記指側の手でネジのピックアップ作業を行い、ドライバーを保持してない手は自由に効率良く他の作業を行うことができる。【００１３】  手の不自由な人及び健常者の方が使用する場合、ドライバ−の落下による足元等の怪我を回避できるため、指先のトレ−ニング用具としても有効に活用できる。
【符号の説明】
【００１４】１  ドライバ−本体
２  回転軸受け部
３  回転軸
４  落下防止用指挿入ホルダ−
５  オスネジ部
【図１】
2015030090.tif 000003
【図２】
2015030090.tif 000004
【図３】
2015030090.tif 000005
(57)【要約】      （修正有）【課題】手提げ鞄に、内包されている貴重品袋を、非常時において貴重品を確保しようとするものである。【解決手段】１は手提げ鞄本体である、２は貴重品袋横着装置の一部で、薄板スプリング上部保持器である、常時は貴重品袋５を手提げ鞄側面に押しつけているが、非常時においては、スプリングが弛緩し、貴重品袋５の、手提げ鞄からの離脱を容易にしている、３は貴重品横着装置の一部で下部保持器であり、貴重品袋５を支えている。４は面ファスナー定着布である、これも貴重品横着装置の一部で、貴重品袋５を手提げ鞄側面に密着させる役目がある。５は貴重品袋である、安全ワイヤー６とフック８により所有者の着衣に固定されている。【選択図】図１
2015042237.tif 000002
【特許請求の範囲】
【請求項１】
手提げ鞄の所有者側側面に、安全ワイヤー付き貴重品袋と、それを保持するための横着装置、下部保持器、面ファスナー定着布、薄板スプリング上部保持器を有する手提げ鞄。
【発明の詳細な説明】
【技術分野】
【０００１】この発明は従来手提げ鞄に内包されていた、貴重品を、貴重品袋に収納し手提げ鞄の所有者側側面に横着し、安全ワイヤーにより、所有者と連結することにより、非常時にも貴重品を確保しようとするものである。
【背景技術】
【０００２】社会生活において貴重品を所持移動することは多く、身体に所持する以外は、手提げ鞄に収容している、
何らかの原因により、手提げ鞄が所有者から急速に引き離された場合、手提げ鞄と、貴重品はともに喪失することがあった。
【発明の概要】
【０００３】この発明は上記欠点を除去し、手提げ鞄の喪失時においても、貴重品を確保しようとするものであり、貴重品袋及び貴重品横着装置つき手提げ鞄を提供する、
図  １はこの発明による、貴重品袋及び貴重品横着装置付き手提げ鞄の立体図である、▲１▼は手提げ鞄本体である、この鞄の所有者側側面に貴重品袋▲５▼を横着する、貴重品袋▲５▼を保持するため、貴重品横着装置として、▲２▼薄板スプリング上部保持器、▲４▼面ファスナー定着布、▲３▼下部保持器を付加している、▲３▼下部保持器は貴重品袋の重力を支えている、▲４▼面ファスナー定着布は貴重品袋の、上下左右の動きを防止している、▲２▼薄板スプリング上部保持器は貴重品袋が手提げ鞄の側面からはがれないよう押さえつけている、なお▲４▼面ファスナー定着布には、図  ６の通り貴重品袋側にも▲７▼面ファスナーとしてついており、双方作用により定着している、貴重品袋には図  ５の通り安全ワイヤー▲６▼、フック▲８▼が取り付けられており、所有者の着衣の一部に取り付けておく、
手提げ鞄が、何らかの事情により、所有者から引き離される場合、図  １の通り、フック▲８▼と安全ワイヤー▲６▼の働きにより貴重品袋▲５▼は手提げ鞄の、面ファスナー定着布▲４▼から引き離される、このとき薄板スプリング上部保持器▲２▼は安全ワイヤー▲６▼によって力が加わるため、外側に伸び貴重品袋▲５▼の手提げ鞄からの離脱が可能になり最終的に貴重品袋は所有者に帰結することになる。
【課題を解決するための手段】
【０００４】所有者の着衣にフックを取り付ける、穴あけ加工を要する。
【発明の効果】
【０００５】非常時において、貴重品である金員、銀行カード、信用カード、印鑑、鍵、携帯電話を確保できる。
【発明を実施するための最良の形態】
【０００６】広く社会に告知し、発明の認知度を上げる。
【図面の簡単な説明】
【０００７】
【図１】この発明による、貴重品袋、及び貴重品袋横着装置付き手提げ鞄の立体図である、▲１▼は手提げ鞄本体である、▲２▼はこの発明による、貴重品袋横着装置の一部で、薄板スプリング上部保持器である、常時は貴重品袋▲５▼を手提げ鞄側面に押しつけているが、図  １の通り、非常時においては、スプリングが弛緩し、貴重品袋▲５▼の、手提げ鞄からの離脱を容易にしている、▲３▼は貴重品横着装置の一部で下部保持器であり、貴重品袋▲５▼の重力を支えている。▲４▼は面ファスナー定着布である、これも貴重品横着装置の一部で、貴重品袋  ▲５▼を手提げ鞄側面に密着させる役目がある。▲５▼はこの発明による貴重品袋である、安全ワイヤー▲６▼とフック▲８▼により所有者の着衣に固定されている。
【図２】この発明による、貴重品袋横着装置付き手提げ鞄の正面図である、▲１▼は手提げ鞄、▲２▼は貴重品袋横着装置の薄板スプリング上部保持器、▲３▼は下部保持器、▲４▼は面ファスナー定着布である。なおこの図では、貴重品袋は省略している。
【図３】この発明による、貴重品袋横着装置付き手提げ鞄の平面図である。なおこの図では、貴重品袋は省略している。．
【図４】この発明による、貴重品袋横着装置付き手提げ鞄の左側面図である。なおこの図では、貴重品袋は省略してある。
【図５】この発明による、貴重品袋の正面図である、▲５▼は貴重品袋本体である、▲６▼は安全ワイヤー、▲７▼は貴重品側面ファスナーで、図  １の▲４▼面ファスナーとともに、貴重品袋を手提げ鞄側面に密着させている、▲８▼はフックであり、所有者着衣の一部に固定するためのものである。
【図６】貴重品袋の平面図である。
【図７】貴重品袋の左側面図である。
【符号の説明】
【０００８】▲１▼  貴重品横着装置付き手提げ鞄、
▲２▼  薄板スプリング上部保持器、
▲３▼  下部保持器、
▲４▼  面ファスナー定着布  本体側
▲５▼  貴重品袋、
▲６▼  安全ワイヤー
▲７▼  面ファスナー定着布  貴重品袋側
▲８▼  フック
【図１】
2015042237.tif 000003
【図２】
2015042237.tif 000004
【図３】
2015042237.tif 000005
【図４】
2015042237.tif 000006
【図５】
2015042237.tif 000007
【図６】
2015042237.tif 000008
【図７】
2015042237.tif 000009
(57)【要約】【課題】従来の生ゴミ水切りは自然タイプ・手で水切るタイプが主流だったが、時間がかかったり手が汚れたりして思うように水が切れない為、水切りが素早くできる容器を提供する。【解決手段】円形のザル式水切りに市販の水切りネットを入れ、ねじ式圧縮盤を利用して、ねじを回して圧縮するハンドルを付けることによって、高齢者にも簡単に水切りがしっかりでき、手をあまり汚すこともなくネットごと、生ゴミが処分・肥料として利用できる。【選択図】図４
2015042596.tif 000002
【特許請求の範囲】
【請求項１】
円型の足つきザル式の網・網目タイプ
【請求項２】
おさえこむねじ式にハンドルを付けて圧縮棒・圧縮盤とする。
【発明の詳細な説明】
【技術分野】
【０００１】本発明は、一般家庭の台所生ゴミの収縮を試みた水切りに関する。
【背景技術】
【０００２】いろんな生ゴミの水切りはあるが、生ゴミの水がどうしても切れにくい。
【発明の概要】
【発明が解決しようとする課題】
【０００３】自然に水を切ることは、時間がかかるり、水が切れにくい。
【課題を解決するための手段】
【０００４】水切り籠に水切りネットを入れ、生ゴミを入れてハンドルねじ式蓋で圧縮しながら水切りをする。
【発明の効果】
【０００５】水が切れ生ゴミが圧縮されて、軽量しかもゴミが収縮され、手をあまり汚さず中のネットを取り出して廃棄できる。公共のゴミ焼却の助けにもなるし、家庭生ゴミ処理機を利用すれば時間も短縮できる。圧縮した生ゴミ・生ゴミ処理機にかけた物両方とも肥料として最適となり、ゴミ削減の手助けになる。
【図面の簡単な説明】
【０００６】
【図１】  足つき円形部分・底部分のザル式網・網目  目安の寸法
【図２】  ねじ式蓋の形  目安の寸法
【図３】  ねじ式蓋にセットするハンドル抑え盤
【図４】  生ゴミ水切り容器全容・ハンドルを回した所
【実施例】
【０００７】図１は円形の水切りの側面図・底部分
図２は蓋の上から・平面図・側面図
図３は図２の中心にセットするハンドル式圧縮盤
図４はセットして圧縮前・後の図面
▲１▼は円形の側面・底部分ザル式網。
▲２▼は水はけがよいように足を付ける。
▲３▼は蓋部分で中央部分にねじ式の穴があり蓋の淵はなで肩にする。
▲４▼は圧縮するねじ式の中心棒。
▲５▼は生ゴミを圧縮する盤。
▲６▼は圧縮棒を上下する時のハンドル。
▲７▼は蓋の中心に圧縮棒を通すねじ穴。
▲８▼は図１と図２をセットする時、ねじではなくて４か所スライドロックで締める。
【符号の説明】
【０００８】▲１▼：円形水切り
▲２▼：足
▲３▼：蓋
▲４▼：ねじ式圧縮棒
▲５▼：圧縮盤
▲６▼：ハンドル
▲７▼：蓋中心部の穴
▲８▼：スライドロック
【図１】
2015042596.tif 000003
【図２】
2015042596.tif 000004
【図３】
2015042596.tif 000005
【図４】
2015042596.tif 000006
(57)【要約】【課題】 台所の流し台で使用する浅型排水口の形状にそって装着できる不織布製の素材を使った水切りゴミ袋を提供する。  【解決手段】親水性のある不織布をジャバラに折り、不織布の両サイドをゴムで縫製することによって、不織布に伸縮性を持たせることができ、台所の流し台の浅型排水口にゴムの部分を伸ばし取り付け、ジャバラになった不織布を広げることにより、浅型排水口の形状にフィットした状態で備え付けることができる伸縮性浅型排水口用不織布水切ごみ袋。   【選択図】図２
2015042577.tif 000002
【特許請求の範囲】
【請求項１】
不織布１をジャバラに折って伸縮性を持たせることにより、家庭用台所流し台で使用する浅型排水口にフィットする不織布排水口用水切ごみ袋。
【請求項２】
不織布１の両端にゴム２をつける事で家庭用台所流し台で使用する浅型排水口に備えつけやすくした不織布排水口用水切ごみ袋。
【発明の詳細な説明】
【技術分野】
【０００１】
本発明は、家庭用雑貨品に属し、詳しくは、台所の流し台の排水口に設置する水切りごみ袋に関する。          
【背景技術】
【０００２】
従来の流し台の排水口は底が深く、不織布製の水切り袋でも、備えつけることができましたが、近年特に都市部では流し台のスペースを確保するために排水口の浅いものが主流になってきた。
【０００３】
従来型の不織布排水口用水切り袋は、腰があり深い排水口には備え付けやすく、生ごみなど流すことなく捕えることができました。
【特許文献１】特開２００４−１８９４０５
【０００４】
従来型の不織布製水切り袋は、腰があり深底の排水口にはフィットしていたが、都市型の流し台にある浅型タイプの排水口には、不織布が立つため、排水口に備えつけぬくい。
【発明の概要】
【発明が解決しようとする課題】
【０００５】
従って従来の不織布水切り袋では、不織布自体に伸縮性が無く浅型排水口にはフィットせず、排水口につけて使用することが出来きないという問題があった。
【課題を解決するための手段】
【０００６】
本発明によれば、不織布１をジャバラすることにより、伸縮性を持たせることができるので浅型の排水口の形状に沿って水切りごみ袋を備え付けられる。
【０００７】
またゴム２をつけることにより、排水口に引っかけて水切りごみ袋を固定できます。
【発明の効果】
【０００８】
従来品では無かった、不織布に伸縮性を持たせることにより、不織布水切り袋で浅型の排水口に備えつけることができるので、不織布１の素材でも浅型排水口用水切り袋としての機能をもたすことができる。
【図面の簡単な説明】
【０００９】
【図１】伸縮性浅型排水口用不織布水切ごみ袋を折りたたんだ状態を示す。
【図２】図１の状態から折りたたんだ不織布を伸ばした状態を示す。
【発明を実施するための形態】
【００１０】
本発明は、不織布１をジャバラにし伸縮性を持たせ、ゴム２をつけることにより不織布製での浅型排水口に適合できる。
【００１１】
不織布１は、強度と排水性が確保できればどのような種類でも可能であり、特にスパンボンド製法・スパンレース製法・ニードルパンチ製法で得たものが良好である。
【実施例】
【００１２】
図１にあるジャバラになっている不織布を図２になるように不織布を伸ばしゴム部分２を排水口の枠にあてはめ込みズレないように固定し、そのまま排水口にはめ込み排水口に流れるゴミをキャッチする。
【符号の説明】
【００１３】
１．本体不織布
２．ゴム
【図１】
2015042577.tif 000003
【図２】
2015042577.tif 000004
(57)【要約】      （修正有）【課題】風力発電装置で現用機の主流は３枚翼のプロペラ型であるが機器コスト、建設コスト、発電コスト共に高価であり、又強風地帯での運用が限定される。一方垂直軸では大容量発電はダリウス式で一部稼働しているが効率が悪く、自己起動力も弱い。当発明では直線翼垂直型を数十枚有する揚力型と風力捕獲器を多数有する円筒形回転体で発電する抗力型を連動させて高出力を得るようにし、揚力型の翼設定角度の改善と、多翼化による、自己起動力の増加と発電能力の向上を計った。【解決手段】（１）揚力型の回転半径を抗力型の回転半径の５倍とすることで、連動がスムーズに行えるようし、一体化を実現（２）揚力型の初動時の自己起動力を抗力型が補う。（３）揚力型の回転しすぎを抗力型との連動でコンピュータなしで抑制する。これにより、原野砂漠などに簡単な据付で低コスト大容量発電を可能とした。【選択図】図１−１
2015042871.tif 000002
【特許請求の範囲】
【請求項１】
垂直軸揚力型翼と抗力型翼を有するハイブリッド型風力発電装置において量産及び大容量発電が可能な、しかも建設コストが安い構造の風力発電装置（Ｗ４−２−１，Ｗ４−２−２，Ｗ４−２−３）
【請求項２】
揚力型翼の回転半径を大きくするために、中心軸の負荷を軽減する「回転フレームと固定レールとのレール接続
【請求項３】
大型及び超大型の自己起動力を高めるため、初動時電動車輪を用いること。
【発明の詳細な説明】
【発明の詳細な説明】
【技術分野】風力を用いて発電する分野
【背景技術】風力発電において世界中で、稼動しているのはほとんど、プロペラ型の水平軸発電装置であり垂直軸ではダリウス式が少し稼動しているだけでもう一つの直線翼は数ＫＷの小型が少し運用されているのにすぎない。
【先行技術文献】
原発に替わる「大容量、低コスト発電」に関するものはない。
【発明の概要】
【発明が解決しようとしている課題】
（１）現在運用されているプロペラ型は幾何学的短所から、強風に弱く、風速２５ｍ／ｓ〜３５ｍ／ｓでも稼動する新装置。
（２）幾何学的短所からこれ以上の出力を得にくく、高出力用に翼長１００ｍ前後を目ざすためには、硬質プラスチックの質を上げコスト高に対応せざるを得ず、限界に近ずいている
（３）ナセルが高所にあるので運用コスト、建設コストが高く、これ以上のコスト削減は、やはり限界に近くなっている
（４）一方、垂直軸の高出力はダリウス式で一部実現しているがダリウス式は図１−１に示すように、形状から
（イ）得られる揚力の発電に帰与する回転方向の分力が小さいため、高出力を目ざして翼を長く（１００ｍ）しても慣性質量の増大に対応し切れず、稼動率は極めて悪い
（ロ）上記理由及び翼の迎え角などの理由で、強い風でないと稼動せず、自己起動力も極めて小さい。
（（イ）（ロ）は直線翼垂直軸風力発電装置にも言えることで、そのため直線翼は数ＫＷ〜数十ＫＷしか実現していない。）
（５）原発に替わる風力発電装置を作るために、今までの既成概念では、高出力低コストの飛躍的進展は望めない。全く新しい型の新装置を開発する必要がある。
【課題を解決するための手段】
図１−１に垂直軸（ダリウス型直線翼型）の現用機が何故高出力が実現出来てないのかの理由を図解。
図１−３に迎え角の多様状態を持つ多翼（８枚以上）の改良型（図１−１の理由からθ＝４５°）を示す。
図５−１にプロペラ型と垂直軸の発電能力の比較のため、回転モーメントの総和を図式化。
（実際の比較のためにはｘ・５ａ）とｘ・５′の測定値が必要）
（イ）図１−１から翼の設定角度θ＝４５°により揚力の回転方向の分力を大きくする
（ロ）図１−３に示すような揚力型翼の迎え角の多様状態を作り自己起動力を上げる。
（ハ）（イ）（ロ）により８枚翼で１０Ｋｇｗ・ｍの回転モーメントと回転半径３ｍで周速（時速５４Ｋｍ）の高速回転を実現した。
（ニ）図２−１に図１−３に示す量産型据付型風力発電装置（Ｗ４−２−１）の水平方向断面図を示す。
図３−１にさらに大型のＷ４−２−２型の全体概要図を図４−１に超大型のＷ４−２−３型の全体概要図を示す。
（ホ）Ａ部はＢ部の自己起動力を高めると共に、コンピュータ制御なしでも、Ｂ部の回りすぎをＡ部が抑え、破壊から装置を守る
（ヘ）Ｂ部の回転半径は、風速以上で回らない抗力型Ａ部の回転半径の５倍以上にする
（ト）そのため、Ｂ部の回転半径は大きく、大型ともなれば数十ｍとなり、従来の中心軸で支える方法では崩壊するため、図１−２、図２−１  図３−１  図４−１に示すレール接続で、装置を強風に耐えるようにする。
（チ）超大型、大型では、初動時電動車輪を用いる
抗力型Ａ部揚力型Ｂ部共に、素材はＰＥＴ樹脂（ペットボトル状細胞をつなぎ合せ）要所にＤＰ７８０の細いパイプで補強した物で製作するので、軽く、格安で出来る。プロペラ型のようなコンピュータ制御や、高価な硬質プラスチックが不要で、据付工事も簡単なため建設コストは安い。又、ナセルが地表近くにあり、メンテナンス、運用がたやすく発電コストも下げることが出来る。
いずれも軽量で強風に強いので、洋上での浮体式で大きな力を発揮する。
【発明の効果】
強風に強く、格安な素材で出来、建設費も（ほとんど据置きに近いため）格安なので、シベリアやパタゴニアの強風地帯の原野が、大規模水素製造地帯へと変身する。地球温暖化もストップ。北京上海
2015042871.tif 000003
から解放される。海上型も軽量なため低コスト大容量発電が可能となる。
【図面の簡単な説明】
【図１−１】ダリウス式及び直線翼垂直軸式の問題点と改良点
【図１−２】量産型全体概要図（Ｗ４−２−１）
【図１−３】揚力型水平方向断面図（Ｂ部）
【図１−４】抗力型風車及び集風装置水平断面図（Ａ部）
【図１−５】抗力型翼部分拡大図
【図２−１】上部より見た機能概要図（Ｗ４−２−１）
【図３−１】大型（Ｗ４−２−２）
【図４−１】超大型（Ｗ４−２−３）
【図５−１】回転モーメント総和グラフ表示
【図１−１】
2015042871.tif 000004
【図１−２】
2015042871.tif 000005
【図１−３】
2015042871.tif 000006
【図１−４】
2015042871.tif 000007
【図１−５】
2015042871.tif 000008
【図２−１】
2015042871.tif 000009
【図３−１】
2015042871.tif 000010
【図４−１】
2015042871.tif 000011
【図５−１】
2015042871.tif 000012
(57)【要約】【課題】回転軸を中心として羽根を複数枚付けた垂直軸風車は風を前から受ける羽根は回転をするが対角にある羽根も同じように風を受ける為、風車の回転力は相殺され回転力は弱くなる。【解決手段】そこで風車にカバーをして風に向かって回転軸の半分には風が入らないようにし反対の半分に風を導入することで、強力な回転力を得るようにする物である。その際、カバーは常に風向に対して正面を向いていなければ効果を発揮できないのでカバーの後方に方向陀を取り付け、カバー全体が風の方向を向くように回転するようにして風車に与える風力をコントロールするものである。【選択図】図１
2015042874.tif 000002
【特許請求の範囲】
【請求項１】
垂直軸風車を囲むように楕円形カバーをして、常に風上を向くようにカバー後方に方向陀を取り付けカバー全体が風車と同じ垂直軸で回転する構造とする。
【請求項２】
カバーの風上に向かい垂直軸から半分は風を遮断する構造として風上に向かい前方は内側に折込を着け、風をカバーに沿って外側に流れる分と内側に流れ風車羽根の回転力となるようにする。
【請求項３】
請求項２と反対側カバーは、風を取り込むため風上に向かい垂直軸より前方あたりまで大きな窓を開け切り取った半分程度は窓の後方を軸としてカバーの外側に４５度程度開閉する構造として、カバーより外の風も風車に取り込み回転力となるようにする。強風の時は閉じる事が出来る構造とする。
【発明の詳細な説明】
【技術分野】
【０００１】  本発明は、風力発電等に利用する垂直軸風車を強力に回転させる為の風車カバーに関する。
【背景技術】
【０００２】  一般的な垂直軸風車は、風力計の様に、羽根が表側に風を受ける時と裏側に風を受ける時の抵抗力の差によって回転する。
【先行技術文献】
【特許文献】
【発明の概要】
【発明が解決しようとする課題】
【０００３】  垂直軸風車は回転軸を中心として羽根を複数枚付け風力により回転をする物だが、風を前から受ける羽根は風力により回転力を得るが対角にある羽根も同じように風を受けるため、風車の回転力は相殺され回転力は弱くなる。
【課題を解決する為の手段】
【０００４】  その解決策として、風車を囲むようにカバーを作成し、風上に向かって風車の回転軸より半分は風を遮断、反対の半分に風を集中的に導入すれば風車は強力に回転をする。
その際、遮断するカバーは先端の一部を折り曲げて風の導入側へ風を導く、及び風の導入側カバーには、カバーより幅広い風を取り入れるためカバーの中程に風上で外側に向かった導入板を取り付ける。
また、風車カバーが常に風上に向かった位置を維持する為にはカバー後方に方向陀を取り付けカバー全体が風の向きに従って回転する構造とする。
【発明の効果】
【０００５】  風車は風上に向かって片側だけに風を受けるのでの回転力が強力になる。
カバーは風向きの変化に対応して回転するので３６０度の風向に対応できる。
【図面の簡単な説明】
【０００６】
【図１】  本発明に関する風車および風車カバーを示す平面図である。
【図２】  同上の風導入側カバーを示す側面図である。
【発明を実施するための形態】
【０００７】  以下、本発明の実施の形態を図に基づいて説明する。
【０００８】  図において、１・４は垂直軸風車である。
【０００９】  図において、２・３は風車を囲む楕円形の風を通さないカバーで風車と同じ垂直軸を使い風車と別々の回転をするようにして後方は風が抜けるように無い。
【００１０】  上記カバーの後方上部に方向陀支え７を接続し、方向陀８を取り付ける。
【００１１】  上記カバーの左側は風を風車から遮断し外側に流すものであるが、上部一部は内側に折込み、その部分の風はカバーの内側に流れ風車羽根を回転させるように流す。
【００１２】  上記カバーの右側は、風を導入し風車を回転させるもので、回転軸より前部は窓を開け風を入れる。
【００１３】  そして窓の半分程度は後方を軸として外側に４５度程度開閉するようにし、カバーより外側の風を風車に取り入れ回転力を強化する、また強風の際は閉じる事ができるようにする。
【００１４】本発明は、ビル屋上や丘の上等風通しの良い場所で風力発電等に利用される。
【符号の説明】１、垂直回転軸
２、左カバー
３、右カバー
４、垂直軸風車羽
５、風取入開閉扉
６、風取入板（強風の時は閉じる）
７、方向陀支え
８、方向陀
【図１】
2015042874.tif 000003
【図２】
2015042874.tif 000004
(57)【要約】【課題】TV等待機電力がある機器の主電源を、就寝や外出のたびに切断して歩くのは時間のかかる作業である。また冷蔵庫や予約録画機器は常に電源を入れる必要あるので、全体の配線用遮断機で切断することは出来ない。【解決手段】電源を切りたい機器用のコンセント(省エネ用ライン)と、切ることができない機器用(従来型)のコンセントを分けて設置し、この省エネラインを制御する回路を配電盤内に設置し、これを制御する遮断・通電コントロール回路設けることで解決できる。【選択図】図２
2015042059.tif 000002
【特許請求の範囲】
【請求項１】
省エネ用ラインをコントロールする制御回路、並びに、これを制御する遠隔操作の遮断・通電コントロール回路。
【発明の詳細な説明】
【技術分野】
【０００１】
本発明は、住宅の屋内配線における省エネライン(コンセント)の電源のコントロールに関するものである。
【背景技術】
【０００２】
住宅や会社などの屋内配線は、配電盤を通して通電・遮断がコントロールされている。電源供給をすべて遮断するときは、この中の漏電遮断機や配線用遮断機を切ることにより実現できる。
【０００３】
ホテルなどは、部屋ごとに一括して電源をコントロールしているが、一般住宅等では冷蔵庫など電源を切断できない機器も多いので一括してのコントロールは難しい。
【０００４】
住宅や会社等の屋内配線に接続されている機器には、スイッチを入れるとすぐに起動する機器が多くなっており長時間使用しないときは、これらの機器の待機電力で無駄になる部分が多くなっている。しかし、機器の中には冷蔵庫や予約機能を持つ録画機器などは、常に電源を入れておく必要がある機器もあり、全体の配線用遮断機で切断することは出来ない。
【０００５】
TV等待機電力がある複数の機器の主電源を、外出や就寝時に切断したり、帰宅や起床時に複数の機器の電源の切断、起動は各部屋を回らなければならず時間のかかる作業である。
【先行技術文献】
【特許文献】
【０００６】
【特許文献１】特開平７−１１１１２１号公報
【非特許文献】
【０００７】
【非特許文献１】電気書院  「第二種電気工事士筆記試験受験テキスト」２０１２年
【発明の概要】
【発明が解決しようとする課題】
【０００８】
解決しようとする問題点は、TV等待機電力がある機器や照明等の主電源を一括して切断し、しかも冷蔵庫などの常に電源供給が必要な機器の電源は切断しない点である。
【課題を解決するための手段】
【０００９】
本発明は、電源を切りたい機器用のコンセント(省エネライン)と、切ることができない機器用のコンセントを設置し、省エネラインをコントロールする制御回路およびスイッチとなる遮断・通電コントローラ設けることで解決することができる。
【発明の効果】
【００１０】
省エネ用のコンセントを配置することにより、それに接続されている機器の電源の通電、遮断が出来る。このシステムにより、一括して電源供給の必要のない電源回路を切断することを可能とするため、省エネならびに消し忘れ等の心配がなくなることが大きな特徴である。また省エネ用コンセントの遮断・通電は、遮断・通電コントローラ(遠隔操作)装置を通常のコンセントに接続することで行うためコンセントがある場所であればどこからでもコントロールできる。
【図面の簡単な説明】
【００１１】
【図１】図１-1、1-2は省エネ用ラインに接続したコンセント説明図である。
【図２】図２は配電盤の省エネ用ラインと開閉器構成の説明図である。
【図３】図３は電源制御部の省エネラインの制御回路と遮断・通電信号受信回路の説明図である。
【図４】図４は遮断・通電コントローラの説明図である。
【発明を実施するための形態】
【００１２】
既存の屋内配線のコンセントに接続された2芯ケーブルを３芯ケーブルに変更し、また、配線用遮断機の屋内側に開閉器と開閉器を制御する回路、並びに遮断・通電信号を受信する回路、そして遮断・通電の信号を作るコントローラを設けることで実現できる。
【実施例１】
【００１３】
図１-1は、省エネ用ラインに接続したコンセントの配線図であり、従来のコンセントの接地(白)側を省エネライン用のコンセントに接続し、新たに３芯ケーブルの赤のケーブルを接続する。
図１-2は、常時接続コンセント(通常のコンセント)と省エネライン用のコンセントを色で識別して配置することを表した図である。
【００１４】
図２は、省エネ用ラインに接続するコンセントに電源を供給する配電盤の回路図である。従来の配線用遮断機の黒ケーブルの端子から開閉器に接続し、この開閉器を通して３芯ケーブル(赤)を省エネ用ラインに接続する。この開閉器は、これに接続されたスイッチによりON、OFFできる。また、この開閉器の操作は、寝室や玄関などの通常のコンセントにリモコンスイッチを接続することで、外出・帰宅時だけではなく、就寝・起床時にも簡単に遮断・通電することができる。
【００１５】
図３は、省エネライン制御回路の構成図で、遮断・通電コントローラで作り出した2つの周波数の信号A
[kHz](遮断)、B[kHz](通電)を受信し、受信した信号により、電源の遮断・通電を行うことができる。
【００１６】
図４は、遮断・通電コントローラで、2つの周波数の信号A [kHz](遮断)、B[kHz](通電)を作り、これを電源ラインに乗せることにより、制御回路へ信号を送る。
【００１７】
本発明は、一括して電源供給の必要のない電源回路を遮断することを可能とするため、省エネならびに消し忘れ等の心配がなくなること、またコンセントのある場所どこからでも遮断・通電が可能であることが大きな特徴である。
【産業上の利用可能性】
【００１８】
一般住宅だけではなく、会社や工場などでも常時通電が必要な機器と稼動しないときは切断できる機器をこのコンセントで分けることにより、1つのスイッチで通電、切断ができ、便利なだけでなく、消し忘れ防止や節電に結びつく。
【図４】
2015042059.tif 000003
【図１】
2015042059.tif 000004
【図２】
2015042059.tif 000005
【図３】
2015042059.tif 000006
(57)【要約】【課題】  従来の除草具の形状は除草部が狭く、一本ずつしか抜けないために除草作業に非常に時間がかかったり、地表の雑草を削り取るだけで、除草してもすぐにまた生えてきていた。  また、抜いた草をかき集めても、泥や小石も一緒に集められ、草だけを集める作業が大変であったり、レーキ部分が大きく場所を取っていた。【解決手段】  本体（１）を取っ手（２）で挟み、本体（１）と取っ手（２）を２カ所、ボルト（３）で固定する。  本発明は以上のように構成された除草具。【選択図】図１
2015136362.tif 000002
【特許請求の範囲】
【請求項１】
本体（１）を取っ手（２）で挟み、本体（１）と取っ手（２）を２カ所、ボルト（３）で固定する。
本発明は以上のように構成された除草具。
【発明の詳細な説明】
【技術分野】
【０００１】  本発明は、除草刃部が幅広、かつ、厚手の形状であり、次第に小さくなる波状部分と直線部分を有し、除草刃部の幅よりやや長い取っ手でしっかりと握れることを特徴とする除草具に関するものである。
【背景技術】
【０００２】  従来の除草具の除草部分の形状は、取っ手に、一本ずつ草を抜く為の二股の本体が設けられたものや、草を削り取る為の薄い刃状のものが設けられたものであり、レーキ部分は細長い棒状のものが、まばらに取り付けられたものである。
【先行技術文献】
【特許文献】
【０００３】
【特許文献１】  実開平６−２３４０１号公報
【特許文献２】  実開平６−１１４０１号公報
【特許文献３】  登録実用新案第３１７４２００号公報
【特許文献４】  登録実用新案第３１４０５７４号公報
【発明の概要】
【発明が解決しようとする課題】
【０００４】  以上の技術によれば、除草部が狭く、一本ずつしか抜けないために、除草作業に非常に時間がかかったり、地表の雑草を削り取るだけで根が残っており、除草しても、すぐに生えてくる。
レーキ部分も大きめでかさばり、場所を取る。
本発明は、一度にたくさんの雑草を除草出来て作業効率が格段に良くなる上に、雑草が再び生えてきにくく、除草後も抜いた草を容易にかき集めることができる除草具を提供する。
【課題を解決するための手段】
【０００５】  本体（１）を取っ手（２）で挟み、本体（１）と取っ手（２）を２カ所、ボルト（３）で固定する。
本発明は以上のように構成された除草具。
【発明の効果】
【０００６】  本発明は、除草具の刃を幅広の波状にしていることにより、一度に広範囲を、短時間で効率よく除草でき、除草刃の素材の厚みをそのまま使用していることにより、雑草を切らずに抜き、再び生えて来にくくできると共に、刃部の先端をレーキのように使用して、除草した雑草をかき集めると同時に、地ならしをすることもできることを特徴とする除草具である。
大きな波状の方では大きめの雑草を、小さな波状、及び、直線状の部分では小さめの雑草を除草するのに適している。
また、一番大きな波状の刃側の端には隣の刃の半分の細さの刃が付いており、根深い草を掘って取ることもできると同時に、雑草に鍵爪のように引っ掛けて引き抜くこともできる。
本体の働きで、幅広く短時間で草を抜くことができる。
除草後は抜いた草を効率的にかき集め、地ならしをすることができる。
幅広の刃は除草した草を載せて運搬するのに利用できる。
また、取っ手は除草刃の幅よりやや長くなっており、指を回して、しっかりと握りやすい。
【図面の簡単な説明】
【０００７】
【図１】  本発明の斜視図
【図２】  本発明の組立図
【発明を実施するための形態】
【０００８】  本発明の実施の形態を説明する。
本体（１）を取っ手（２）で挟み、本体（１）と取っ手（２）を２カ所、ボルト（３）で固定する。
本発明は以上のように構成された除草具。
本発明を使用する時は、本体（１）の形状が幅広で厚手の波状になっていることにより、除草をする際に雑草を切るのではなく、押して抜く事ができ、また、先端をレーキのように使用して、抜いた草をかき集めることができる。
また、刃の一端は隣の山の半分の太さと、やや細長くなっており、根深い雑草を掘って取ることもできる。
取っ手（２）は片方がやや長めになっていることにより薬指と小指を回してしっかりと持つことができ、力を入れて握りやすい。
【符号の説明】
【０００９】    １  本体
２  取っ手
３  ボルト
【図１】
2015136362.tif 000003
【図２】
2015136362.tif 000004
(57)【要約】【課題】  シリコンバンドは、時計ケースと嵌合させた場合に、シリコンバンドのエンドピースが時計ケースと乖離しやすく、エンドピースと時計ケースとの間に隙間を生じてしまうという課題があった。【解決手段】  シリコン製時計バンド３０が時計ケース４０と嵌合するエンドピース３１に、シリコン製時計バンド用エンドピース部材（ＥＰパーツ）２０が埋め込まれる。ＥＰパーツ２０は、硬質な材質からなり（例えば、金属製又は硬質樹脂製）、柔らかなシリコン製時計バンド３０に対して、エンドピース３１と時計ケース４０との間に安定した嵌合構造の提供をできる。【選択図】  図１
2015136547.tif 000002
【特許請求の範囲】
【請求項１】
シリコン製の時計バンドが時計ケースと嵌合するエンドピースに埋め込まれ、時計ケースと当接することを特徴としたシリコン製時計バンド用エンドピース部材。
【請求項２】
時計ケースと当接する当接面の下端部に突起する鍔部を設けることを特徴とした請求項１記載のシリコン製時計バンド用エンドピース部材。
【請求項３】
金属製又は硬質樹脂製であることを特徴とした請求項１又は２記載のシリコン製時計バンド用エンドピース部材。
【請求項４】
請求項１，２又は３記載のシリコンバンド用エンドピース部材を備えたシリコンバンドのエンドピースが時計ケースと嵌合することを特徴とするシリコン製時計バンドの嵌合構造。
【発明の詳細な説明】
【技術分野】
【０００１】
本願発明は、シリコン製時計バンドが時計ケースと嵌合するエンドピースに関するものである。
【背景技術】
【０００２】
樹脂製の時計バンドには、従来より「ウレタン製」のバンド（ウレタンバンド）が広く普及している（特許文献１など）。
ウレタンバンドは、比較的硬いので安定性がある反面、手首に装着した際に着け心地があまりよくないという欠点がある。
【０００３】
これに対して、「シリコン製」のバンド（シリコンバンド）の場合には、欧州では「ナチュラルラバー」と呼ばれているように、ウレタンバンドよりも柔らかく着け心地が非常によい。従って、装着性（着け心地）という観点からは、ウレタンバンドよりもシリコンバンドの方が優れていると言える。
【０００４】
【特許文献１】実開平５−５８０１４号公報
【発明の概要】
【発明が解決しようとする課題】
【０００５】
しかし、シリコンバンドは、その柔らかさゆえに、時計ケースと嵌合させた場合に、図５に図示するように、シリコンバンドのエンドピースが時計ケースと乖離（めくれ）しやすく、エンドピースと時計ケースとの間に隙間を生じてしまうという課題があった。
【０００６】
そこで、本願発明は、シリコン製時計バンドのエンドピースが時計ケースと乖離して、隙間を生じることなく、シリコン製時計バンドのエンドピースと時計ケースとの間に安定した嵌合構造の提供を目的とするものである。
【課題を解決するための手段】
【０００７】
上記目的を達成するために、本願発明の第１の発明は、シリコン製の時計バンドが時計ケースと嵌合するエンドピースに埋め込まれ、時計ケースと当接することを特徴としたシリコン製時計バンド用エンドピース部材である。
第２の発明は、時計ケースと当接する当接面の下端部に突起する鍔部を設けることを特徴とした同シリコン製時計バンド用エンドピース部材である。
第３の発明は、金属製又は硬質樹脂製であることを特徴とした同シリコン製時計バンド用エンドピース部材である。
第４の発明は、上記第１から第３の発明に係るシリコンバンド用エンドピース部材を備えたシリコンバンドのエンドピースが時計ケースと嵌合することを特徴とするシリコン製時計バンドの嵌合構造である。
【発明の効果】
【０００８】
本願発明によれば、シリコン製の時計バンドが時計ケースと嵌合するエンドピースに埋め込まれ、時計ケースと当接するシリコン製時計バンド用エンドピース部材を備えることで、柔らかいシリコン製時計バンドであっても、シリコン製時計バンドのエンドピースが時計ケースと乖離して、隙間を生じることなく、シリコン製時計バンドのエンドピースと時計ケースとの間に安定した嵌合構造の提供をできる。
【図面の簡単な説明】
【０００９】
【図１】本願発明のシリコン製時計バンドの嵌合構造を示す説明図（１）。
【図２】本願発明のシリコン製時計バンドの嵌合構造を示す説明図（２）。
【図３】本願発明のシリコン製時計バンドの嵌合構造を示す説明図（３）。
【図４】本願発明のシリコン製時計バンドの嵌合構造を示す説明図（４）。
【図５】シリコン製時計バンドの課題を示す斜視図。
【発明を実施するための形態】
【００１０】
本願発明の実施形態を図面に基づいて説明する。
図１〜図４は、本願発明のシリコン製時計バンドの嵌合構造１０を示す説明図である。
図１及び図２に図示するように、シリコン製時計バンド３０が時計ケース４０と嵌合するエンドピース３１に、シリコン製時計バンド用エンドピース部材（ＥＰパーツ）２０が埋め込まれる。
【００１１】
図１及び図２に図示する符号２１は、時計ケース４０と当接する当接面の下端部に突起する鍔部である。この鍔部２１は、シリコン製バンド３０の回転を規制するためであり、必須のものでない。
同符号３２は、ＥＰパーツをエンドピースに埋め込むために形成された収納部である。
同符号５０は、エンドピース３１に埋め込まれたＥＰパーツ２０を取り付けるための取付ピンである。
同符号５１は、エンドピース３１を時計ケース４０に連結するための連結ピンである。
【００１２】
図３は、ＥＰパーツ２０がエンドピース３１に埋め込まれたシリコン製時計バンド３０を図示するものである。
そして、このＥＰパーツ２０は時計ケース４０と当接する。ＥＰパーツ２０は、硬質な材質からなり（例えば、金属製又は硬質樹脂製）、柔らかなシリコン製時計バンド３０に対して、エンドピース３１と時計ケース４０との間に安定した嵌合構造の提供をできる。
【００１３】
図４は、シリコン製時計バンド３０のエンドピース３１と時計ケース４０との嵌合状態を図示したものである。エンドピース３１にＥＰパーツ２０を備えることで、シリコン製時計バンド３０のエンドピース３１が時計ケース３０と乖離して、隙間を生じることなく（図５を参照）、シリコン製時計バンド３０のエンドピース３１と時計ケース４０との間に安定した嵌合構造を提供できる。
【産業上の利用可能性】
【００１４】
本願発明は、シリコン製時計バンドのエンドピースに広く利用できるものである。
【符号の説明】
【００１５】
１０  嵌合構造
２０  シリコン製時計バンド用エンドピース部材（ＥＰパーツ）
２１  鍔部
３０  シリコン製時計バンド
３１  エンドピース
３２  収納部
４０  時計ケース
５０  取付ピン
５１  連結ピン
【図１】
2015136547.tif 000003
【図２】
2015136547.tif 000004
【図３】
2015136547.tif 000005
【図４】
2015136547.tif 000006
【図５】
2015136547.tif 000007